(57)【要約】【課題】潮解性の吸湿剤を用いるに除湿器に在って、除湿性能に優れ、なおかつ低コストの除湿器を提供する。【解決手段】容器本体４０の内部に、潮解性の吸湿剤４５を収容する中仕切り４３と前記該吸湿剤によって液化した潮解液を下方に貯留する空間部４８が設けられた容器ユニット４と、容器ユニットに連通状態に取り付けられて、ファン９やモータ６などの吸排気手段により前記容器本体の内部空気を強制的に入れ替えて、前記吸湿剤により湿気を吸収する換気ユニット１とを備えている。そして、前記換気ユニット１を、前記容器ユニット４に漏液防止手段４２を介して着脱自在に設けた。【選択図】  図３
2004181404.tif 000002
【特許請求の範囲】
【請求項１】
容器本体の内部に、潮解性の吸湿剤を収容する中仕切りと前記該吸湿剤によって液化した潮解液を下方に貯留する空間部が設けられた容器ユニットと、
前記容器ユニットに連通状態に取り付けられて、吸排気手段により前記容器本体の内部空気を強制的に入れ替えて、前記吸湿剤により湿気を吸収する換気ユニットとを備えた除湿器であって、
前記換気ユニットを、前記容器ユニットに漏液防止手段を介して着脱自在に設けたことを特徴とする除湿器。
【請求項２】
前記換気ユニットの吸排気手段によって吸気側あるいは排気側の何れか一方のみが前記容器ユニットの内部と連通することを特徴とする請求項１記載の除湿器。
【請求項３】
前記換気ユニットの吸気口又は排気口のいずれか一方を、前記容器ユニットに漏液防止手段を介して着脱自在に当接させて、外部空気と容器ユニット内部の空気とを強制的に換気することを特徴とする請求項１記載の除湿器。
【請求項４】
前記換気ユニットの吸気口又は排気口のいずれか一方と容器ユニットの内部を漏液防止手段を介して伸縮自在な可撓性の管で連通することを特徴とする請求項１記載の除湿器。
【請求項５】
前記可撓性の管を介して前記換気ユニットを壁面や天井面に取り付ける一方、前記容器ユニットを床面に載置して、該両ユニットを離間して配置したことを特徴とする請求項４記載の除湿器。
【請求項６】
前記容器ユニットの上面に設けられるシール部材を、前記可撓性の管の先端を挿入する接続口に設けられるゴム製等の弁体として構成し、常時は前記接続口を閉塞するように付勢手段により付勢されていることを特徴とする請求項４記載の除湿器。
【請求項７】
前記容器ユニットの上面に設けられる漏液防止手段が、通気・非透水性のシートからなることを特徴とする請求項３または４記載の除湿器。
【請求項８】
容器本体の内部に、潮解性の吸湿剤を収容する中仕切りと前記該吸湿剤によって液化した潮解液を下方に貯留する空間部が設けられてなる容器ユニットと、
前記容器ユニットに連通状態に取り付けられて、吸排気手段により前記容器本体の内部空気を強制的に入れ替えて、前記吸湿剤により湿気を吸収する換気ユニットとを備えた除湿器の使用方法であって、
前記換気ユニットを、前記容器ユニットに漏液防止手段を介して着脱自在に設けた、前記換気ユニットの不使用時には、前記容器ユニット単独で自然換気タイプの除湿器として使用することを特徴とする除湿器の使用方法。
【発明の詳細な説明】
【０００１】
【発明が属する技術分野】
本発明は、潮解性の吸湿剤を利用した除湿器に係り、特に電動ファンにより強制換気手段を備えた除湿器に関する。
【０００２】
【従来の技術】
従来、例えば家庭の押入れ、洋服タンス或いは下駄箱等の収納スペースの湿気を除去し、収納物を黴などの被害から守るために、湿気を吸って液状化するが、吸湿力が大きくしかも安価な塩化カルシウム、塩化マグネシウム、五酸化リン等の潮解性の吸湿剤を利用した様々な除湿器が用いられている。
【０００３】
これらの除湿器には、大きく分けて二つのタイプが存在する。一つは自然対流で循環する空気から湿気が吸湿剤へ移行する自然換気タイプと、動力でファンを回転させて空気を強制的に吸排気させる強制換気タイプである。
【０００４】
前者の自然換気タイプの公知例としては、以下の特許文献１に記載されているように、上面が開口した容器本体の縁に懸架される鍔部を有し、かつ潮解液滴下用の穴或いは溝が設けられた吸湿剤収容々器の下部と容器本体底面との間に空間部を設け、湿気を吸収して液化した潮解液を溜めて置く貯留室と成し、天井面を被覆する網体乃至は不織布など、通気性のシートで形成される蓋体を透して湿気を取るようになっている。そして、貯留室に溜まった潮解液が容器転倒時に外部に流失するのを防止する為に、増粘剤を用いる方法に関する工夫がなされている。
【０００５】
潮解性の吸湿剤を利用した除湿器は、他にも数多く提案され実用化されているが、ほぼ同様の構成である。ただし、増粘剤で潮解液に粘性を付与するだけで流出を防止すること例は少なく、自然換気タイプの除湿器の多くは蓋体として、通気性はあるが水分の染み出しは阻止する、通気・非透水性シートを用い、周縁を容器本体に密封シールしているものが殆どである。
【０００６】
後者の強制換気タイプの公知例としては以下の特許文献２に記載されてものがあり、これは、中央部にモータ及びファンが装着された空気流入筒と当該空気流入筒の周囲に空気流出口が配置されており、さらに電池等の部品を装着して構成される蓋体は、潮解性の吸湿剤を収容しかつ潮解液を貯留する、やや開口部が細く絞られた容器本体に螺合される。
【０００７】
かかる構成において、ファンで強制的に吸・排気される空気が除湿剤に触れる強制的換気が行われる結果、自然換気タイプの除湿器に比べて飛躍的に除湿能力が改善される。しかしながら、空気の流路を確保するために、どうしても開口部が避けられず、横倒しになった場合に容器本体に溜まった潮解液の量次第では、やや細く絞られた開口部から溢れ、外部に流出することとなる。
【０００８】
そこで最近では以下の特許文献３に記載された従来例のように、容器本体を密閉可能な構成とし、潮解液が流出することを防ぐ工夫が提案されている。
【０００９】
すなわち、密閉可能に構成された容器本体上面の左右両端部に、夫々吸気口と排気口を設け、両開口部はシール作用をする通気路閉塞板で開閉されている。該通気路閉塞板には弁棒に相当する棒状の可動体が固定され、ばね手段により通気路閉塞板が開口部を閉塞する方向に付勢され、可動体の先端が容器本体の底面から僅かに突出している。
【００１０】
そして、除湿器が正置された場合には、ばね手段の付勢力に抗して通気路閉塞板に連接する可動体を突き上げることとなり、吸気口及び排気口を開放することにより、蓋体に設けられたファンの強制換気作用が働き、効率の良い除湿が行われる。
【００１１】
なお、除湿器が仮に転倒した場合は、容器本体の自重で押込められ開口部を開いていた可動体がばね付勢力によって元の位置に戻ることにより、吸気口及び排気口が閉鎖され、容器本体は密閉状態となり潮解液の流出を防止するようになっている。
【００１２】
【特許文献１】
実公昭６１−００９３号公報
【００１３】
【特許文献２】
実開平２−６１４２２号公報
【００１４】
【特許文献３】
特開２０００−３３４２５４号公報
【００１５】
【発明が解決しようとする課題】
しかしながら、前記２つのタイプの夫々に長所と短所があり、自然換気タイプの除湿器は、比較的単純な構造で、低コストで製造することが可能であり、また、使い捨てが可能である反面、除湿能力が著しく低いという問題が有る。また、最近では環境問題意識の高まりから、使い捨ての場合は、廃棄部分の部材を減らす工夫や環境悪化を招かぬ材質の配慮など、除湿器を供給する側の考えも多様であることから、標準規格的なものが考えにくい問題点がある。
【００１６】
一方、強制換気タイプの除湿器では、別々に設けられた吸気口から排気口へ向けて、モータでファンを回して発生させた気流を通過させ、除湿能力を上げている関係上、二箇所の開口部が不可欠である。
【００１７】
従って、潮解液の流出を防止する必要から、夫々の開口部にシール部材を設けなければならず、どうしても構造が複雑化し、自然換気タイプに比べ、極めてコストが高くなる欠点がある。
【００１８】
また、吸湿剤を詰替え方式にすることで、廃棄する部分は補充用の除湿剤の包装だけとなり、使い捨て方式よりも廃棄部材を減らし、省資源化に寄与する利点もあるが、詰替え用の除湿剤が専用となる為に、かえって割高となる欠点が生じる。
【００１９】
本発明は、前記従来の技術的課題に鑑みて案出されたもので、二つのタイプの長所を取り入れた、強制換気タイプ並みに除湿能力に優れ、転倒した場合でも通気・非透水性シートで密閉されている自然換気タイプの様に、上面そのものが漏液防止手段であるか、あるいは極めて簡単、安価な漏液防止手段を備えることで、除湿性能が高く、低コストで、かつ交換補充用除湿剤の汎用性に優れた除湿器を提供せんとするものである。
【００２０】
【課題を解決するための手段】
本発明は、従来は一体に構成されていた強制換気タイプの除湿器における換気機構を収めた蓋体部分と、吸湿剤を収容する中仕切りのある密閉容器部分を分離し、ファン、モータ、電池等の強制換気に必要な要素を収めた蓋体部分を纏めて独立した換気ユニットとする。一方で、従来は蓋体部分の下部に有って、吸湿剤を収容する中仕切りと、潮解液を溜めて置く貯留部から主として構成される密閉容器部分を、天井面を通気・非透水性シートで密封シールするか、若しくは一個の簡単な逆止弁等の漏液防止手段を備えた独立した容器ユニットとする。
【００２１】
本発明は、かかる構成にすることにより、従来からある自然換気タイプの除湿器の上部に、独立した換気ユニットが位置する形態とし、吸気或は排気の何れか一方のみを容器ユニットへ導いて、二箇所に必要としていた開口部の漏液防止手段を省略あるいは簡略化を可能にし、除湿性能は維持しながらもコストを低減した強制換気タイプの除湿器を提供するものである。
【００２２】
具体的には、本発明にあっては、樹脂製の筐体に乾電池等の電源を搭載し、更にねじ等の緊締手段でモータを固定し、該モータの回転軸に圧入など適宜な手段で樹脂製のファンを装着し、回転するファンはそのケーシングとの隙間を極力狭め、なおかつラビリンス構造などで漏れを低減するべく構成される。更に、該ケーシングの中央部には、ケーシングと一体でも或は別体構造でも構わないが接続口を備え、例えばベルマウス状の吸口とか、さもなければ可撓性のパイプやホースを繋ぎ吸気口とする。ケーシングのファン外周部に面する位置には、可能な限り広い開口部を確保し排気口とする。更にケーシングは同心円形の嵌合構造とし、樹脂製の筐体と同芯に組み立てられ、ファン回転時にギャップを極力狭めてあるケーシングとの当りを回避する。この様に構成された給排気手段を壁面や天井面に取付ける為、金属製若しくは樹脂製の懸架具を具備して、換気ユニットを構成し除湿部の上方に配置する。懸架具としては磁石やマジックテープ（登録商標）等も適宜用いても良い。
【００２３】
一方では、上面が開放した透明乃至は半透明の樹脂製容器は、上縁部が平坦な鍔状に成型され、該上縁部に通気・非透水性のシートからなる漏液防止手段を密封シールし上面を覆っているが、該漏液防止手段の直ぐ下には同じく樹脂製の中仕切りが設けられ、該中仕切りは底面に潮解液滴下用の穴或は溝を有し、塩化カルシウム、塩化マグネシウム、五酸化リンなど潮解性吸湿剤の収容部を構成する。該潮解性吸湿剤は、密封シールされる前に、予め中仕切り部に収容される。殆ど、丸ごと廃棄を前提とした自然換気タイプの除湿器と、同一構成の容器ユニットは、換気ユニットの近傍に配置され、両者相まって除湿器の機能を果たす。
【００２４】
すなわち、換気ユニットの筐体を容器ユニットの上縁部に載置して、バンド掛け等適宜な方法で両ユニットを固定するが、このとき、換気ユニットのベルマウス状の吸気口が、容器ユニットの上面を覆う漏液防止手段に当接する様にしてファンを駆動すれば、該漏液防止手段は通気性があるので、吸気口が当接する部分から容器ユニット内部の空気が吸引され、それ以外の部分から容器ユニット内部へ湿気を含んだ空気が流入する。つまり潮解性吸湿剤の周囲空気が強制的に換気されるので、自然換気タイプの除湿器と変わらない構成の容器ユニットで、強制換気タイプ並みの除湿能力を実現出来る。更に加えて転倒時を想定すれば、容器ユニットの上面は通気・非透水性の漏液防止手段で覆われているので、自然換気タイプ同様に、潮解液が流出することはない。
【００２５】
また本発明は前項で説明した通り、ファンの力で漏液防止手段として作用する通気・非透水性のシート越しに、容器ユニット内部の空気を吸出しているが、逆に湿気を含む空気を吹き込んでも、除湿効果が得られることに変わりは無く、かつ当然であるが潮解液が流出することもない。
【００２６】
また本発明では、換気ユニットのベルマウス状の吸気口に変え、可撓性のパイプやホースを接続する為の接続口とし、該接続口に所要長の可撓性のパイプやホースを繋ぎ、さらにその先端を容器ユニットと着脱自在に装着する構成とする。
【００２７】
すなわち、先端の形状をベルマウスとし、容器ユニットの上面を覆う漏液防止手段に当接する様にすれば、前述の、換気ユニットの筐体を容器ユニットの上縁部に載置して、バンド掛け等適宜な方法で両ユニットを固定した場合と同様な作用効果が得られる。
【００２８】
次に、可撓性のパイプやホースの先端を容器ユニットに簡便に装着する工夫に付いて述べるならば、容器ユニットの中仕切りの中央部を中空の円筒状に形成し吸気管とする。該吸気管の上端面は容器ユニット上縁部と同じ高さとし、通気・非透水性のシートで密着シールするが、吸気管の内径部分は穴を開け開口させる。その代わりに、吸気管の下端面は通気・非透水性のシートで密着シールする。つまり、自然換気タイプの除湿器の上面の一部に円筒状の穴が有り、その穴は吸気管の出口であって、入口側は密着シールされている構成である。この吸気管に可撓性のパイプやホースの先端を、簡単には抜けない様にきつく挿入すれば、前述の、換気ユニットの筐体を容器ユニットの上縁部に載置して、バンド掛け等適宜な方法で両ユニットを固定した場合と同様な作用効果が得られる。
【００２９】
ここまで説明してきた使い捨てを前提とした構成の容器ユニットに代えて、繰返し使用する容器ユニットの工夫に付いて説明すれば、容器本体は広口瓶形状であり、大口径のパッキン付き蓋体を螺合し密封される。該蓋体は中央部に穴を有するドーナツ状に形成され、中央部の穴を周縁に強力な粘着剤が塗布された通気・非透水性のシートで塞がれている。容器本体内部中段には除湿剤を収容する中仕切りが設けられ、瓶状容器の広口から補充交換が行われる。広口瓶形状の容器本体の肩部分には、可撓性のパイプやホースの先端を挿入する吸気口が設けられるが、当該吸気口には、転倒時に可撓性の管やホースが抜けた場合を配慮し、潮解液の流出を防止する漏液防止手段が必要とされる。
【００３０】
本発明では、可撓性の管やチューブを挿入した時に先端で押し開けられ、抜去した時に開口を塞ぐ、ゴム製の逆止弁を設けて対処する。かかる工夫を施した繰返し使用する容器ユニットと換気ユニットを組合せて使用すれば、以前にも述べた、換気ユニットの筐体を容器ユニットの上縁部に載置して、バンド掛け等適宜な方法で両ユニットを固定した場合と同様な作用効果が得られる。
【００３１】
また前項の工夫では、水平断面形状が円形の容器本体を基本としているが、水平断面が滴形の容器本体に付いて説明するに、滴形の尖った方に吸気口を設ける様に構成することにより、可撓性のパイプやホースが抜けて転倒した時には、起き上がりこぼし同様に開口部が必ず上側になるので、潮解液の流出を防止出来る。
【００３２】
【発明の実施の形態】
以下、本発明の各実施形態を図面に基づいて説明する。図１は換気ユニット１の縦断面を示し、図２は容器ユニット４の縦断面を示しており、前記換気ユニット１は、略円筒形をした樹脂など軽量でかつ剛性の高い材料からなる筐体５が中段を横断して形成されるベース部５１で上下に大きく二分され、内部ベース部５１の略中央に設けられた貫通孔５２には、モータ６が回転軸６１を貫通させて、ねじ等の適宜な緊締手段（図示せず）を用いて固定され、同じくモータ６の駆動電源の電池７は、必要に応じて一個または複数個、ベース部５１に交換可能に取付けられる。
【００３３】
筐体５の上面は、カバー５３でモータ６や電池７を覆い、また換気ユニット１を天井面や壁面に保持するための、金属や樹脂からなるフック等の懸架具８を設けてある。なお、懸架具８として引掛フックを例示したが、磁石やマジックテープなどでも構わない。
【００３４】
モータ６や乾電池７が取付けられたベース部５１の裏面は、風路の一部を兼ねており、僅かな隙間を隔てて、樹脂或はアルミニュームなどの軽金属からなるファン９の裏面と対面している。ファン９の裏面中心にはボス部が設けられ、モータ６の回転軸６１に圧入など適宜な方法で装着され、モータ６によって回転駆動される。
【００３５】
さらに該ファン９の表面は、中央が大きな開口部１０となっていて、空気の吸込み口を構成している。またファン９の表面は、裏面と同様に極めて僅かな隙間を隔ててケーシング１１と対面し、ベース部５１の裏面と相俟って風路を構成しているが、該ケーシング１１の中央部には、ファン９の開口部１０と対応する開口が設けられて接続口１２を形成している。
【００３６】
ケーシング１１の外周は円形をしており、筐体５の内側に設けられたインロウ部１３に嵌合し、ファン９と同心が確保されるので、ファン９の表面と対面するケーシング１１の内面の隙間を狭めることが可能となり、加えて対面する二つの面に例えばラビリンス構造（図示せず）を採用する等で、狭い隙間を通過し漏洩する空気流をさらに低減することが可能になる。
【００３７】
前記接続口１２には、例えばゴム製のベルマウス状をした吸口１４が接続され、吸気口１５を構成している。
【００３８】
筐体５のベース部５１の下半分は、ファン９の外周に対応する位置に、可能な限り広い開口部を確保し、排気口１６を形成し、さらに先端部の一部を延伸して脚部１７とし、換気ユニット１が構成される。
【００３９】
かかる構成の換気ユニット１にあって、電池７から電力の供給をうけたモータ６が回転すると該モータ６の回転軸６１に固定されたファン９が回転を始める。ファン９が回ることによって、吸気口１５から流入した空気は排気口１６から送り出される。このとき、ケーシング１１とファン９の隙間が大き過ぎると、両者が当たったり擦れたりする危険性は無い代わりに、排気口１６へ送り出された空気の一部が開口部１０へ還流する所謂ショートサーキットが生じ、換気の性能を低下させる。この弊害を避ける為に、本発明では、隙間を極力狭めると同時にラビリンス構造を採用する等、ショートサーキットをおさえて、換気性能を維持する工夫が施されているので、効率の良い換気が実現される。
【００４０】
一方、前記容器ユニット４は、図２に示すように、容器本体４０が上面が開放した全体或は一部が透明又は半透明の樹脂製によって成形され、上端を平坦な鍔状に成形された上縁部４１となし、該上縁部４１は通気・非透水性のシートからなる漏液防止手段４２を用い、溶着、接着など適宜な方法で密封シールされる。
【００４１】
容器本体４０の内部には、樹脂製の中仕切り４３が設けてあり、容器本体４０と同様に鍔状に成形された上縁部を、容器本体４０側面の突起部分４４に引掛けて止められている。該中仕切り４３には、塩化カルシウム、塩化マグネシウム、五酸化リンなどの潮解性の粒状の吸湿剤４５が予め収容されて、容器本体４０の中段に保持される。中仕切り４３の底面及び側面には、穴若しくは溝状の滴下窓４６が開いていり、潮解液４７をスムーズに貯留室４８へ溜める容器ユニット４が構成される。
【００４２】
かかる構成の容器ユニット４にあって、開放している上面を塞いでいる漏液防止手段４２は、通気・非透水性のシートからなるものであるから、湿気を含んだ周囲の空気は内部へ容易に流入する。内部には塩化カルシウム、塩化マグネシウム、五酸化リン等、空気中の水分を吸って自らは液化する所謂潮解性の吸湿剤４５が収容されているので、流入した空気は湿気を取り除かれ、再び漏液防止手段４２を透して外へ出ていく。すなわち、洋服タンスや下駄箱の空気を除湿する、所謂自然換気タイプの除湿器として作用するものである。
【００４３】
換気ユニット１と容器ユニット４との関係は、図３に示すように、換気ユニット１を容器ユニット４の上端部に着脱自在に設けられており、具体的には、換気ユニット１の脚部１７を容器ユニット４の上縁部４１に載せ、バンド２を用いる等適宜な方法で着脱自在に固定し、換気ユニット１のベルマウス状をした吸口１４が容器ユニット４の天井面を覆う、漏液防止手段４２に当接されるが、図３の状態で、洋服タンスに吊下げたり、容器ユニット４をそのまま下駄箱の棚に載せたりして使用する除湿器となる。
【００４４】
すなわち、換気ユニット１を駆動すると、吸口１４から容器ユニット４内の空気が漏液防止手段４２を透して吸引されるので、容器ユニット４内の空気は希薄となり、漏液防止手段４２の吸口１４が当接してない部分を透して周囲の空気が流入する。つまり強制的換気タイプの除湿器として機能する。
【００４５】
図４は第２の実施形態を示し、図１で示した換気ユニット１の接続口１２に接続したベルマウス状をした吸口１４に代え、可撓性のパイプやホースからなる可撓管３を接続し、当該可撓管３の先端に吸口１４を接続して、容器ユニット４の漏液防止手段４２に当接され、本発明の除湿器として使用される状況を示す。前例とは異なり、懸架具８は洋服タンス等に吊下げられるが、容器ユニット４は床や棚に置かれ、二つのユニットを分離して使用できる除湿器となる。
【００４６】
本実施形態のように、分離して機能する除湿器の場合、前記第１の実施形態と違い万一押倒す力が加わっても、換気ユニット１の懸架具８によって吊下げられた状態の為に倒れ難いものである。また、モータやファン或は電池等の機能部品を収容する関係から、どうしても大型化せざるを得なかった強制換気タイプの除湿器に比べ、小型化出来て床面に対しての形状の自由度も増すものである。
【００４７】
図５に本発明の第３の実施形態を示す。図２に示す第１の実施形態と異なる点は、漏液防止手段４２に代えて、中央に丸穴の有る通気・非透水性のシートからなる外側漏液防止手段２１で密封シールする点であり、平らな中仕切り４３に代えて中央部を煙突状にシート面まで立上げ、通気管２０を構成し、該通気管２０の下端面を円形の通気・非透水性のシートからなる内側漏液防止手段２２で密封シールした。かかる構成とすることによって、可撓性のパイプやホースからなる可撓管３の先端を、直接容器ユニット４に挿入して使用される除湿器となる。
【００４８】
かかる構成によれば、容器ユニット４内の空気は、換気ユニット１で吸引され、内側漏液防止手段２２を通過し可撓管３を経由して排気口１６から排出されるが、同時に外側漏液防止手段２１を通過して周囲の空気が流入するように作用する。このとき、図からも明らかな様に、空気は中仕切り４３の外周や吸湿剤４５の表面を舐めるように流れ、可撓管３の先端から吸引されていく。これは明らかに、第１、第２の実施形態よりも効率的に吸湿が行われることを示している。
【００４９】
図６は第４の実施形態を示し、前記各実施形態では、換気ユニット１は繰返し使用可能であり、容器ユニット４は使い捨てを前提になされているが、この実施形態では容器ユニット６０も繰り返し使用が可能なものである。
【００５０】
すなわち、容器ユニット６０は、容器本体６１が透明或は半透明の樹脂又はガラスのブロー成形で製作される広口瓶の様に、螺合部を有する大きな開口部６２と、比較的小口径のホース挿入口６３を有する中空体であって、該挿入口６３の内側に、ゴム等の可撓性で反発力の大きな材料からなる逆止弁６４を備えている。この逆止弁６４は、ゴムなど材料の反発力を利用したものでなくとも、例えばばね手段等で反発力を付勢しても同様な作用、効果が得られるものである。
【００５１】
開口部６２と螺合する樹脂製の蓋体６５は、上面中央部分が大きく開口しており、該開口部分は蓋体６５の裏面から通気・非透水性のシートからなる周縁に粘着剤を塗布した上面漏液防止手段６６を張付けて閉止されている。樹脂製の中仕切り４３は、鍔状に成形された上縁部の全周をパッキン６７で包まれ、開口部６２の口縁と上面漏液防止手段６６を張付けた蓋体６５とに挟まれ、収容し吸湿剤４５を中段に保持し、反復使用容器ユニット６０を構成している。換気ユニット１が図３及び図４で述べたものと同じもので、組合せて除湿器として機能することは言うまでもない。
【００５２】
かかる構成の除湿器にあって、蓋体６５を開けて中仕切り４３に吸湿剤４５を適量収容した上で蓋体６５を閉める。その上で挿入口６３に可撓管３の先端を挿入するが、この時容器を密閉していた逆止弁６４が押し開けられ、内部の空気の出口が確保される。換気ユニット１を作動させて、容器の中の空気を吸引すると、図５で示した実施形態と同様に効率的な吸湿が行われるものである。吸湿剤４５が殆ど潮解して、潮解液が溜まったら可撓管３を抜取り、蓋体６５を開けて中仕切り４３を取り出して潮解液を捨てる。その後、新しい吸湿剤４５を補充して新たな使用を開始する。
【００５３】
これによって、繰返し使用できる反復使用容器ユニット６０が提供できるものである。
【００５４】
本実施形態では、換気ユニット１は、懸架具８で強固に保持されるので転倒の恐れは全く無く、万一反復使用容器ユニット６０が転倒した場合は、可撓管３が抜けてしまうので、直ちに逆止弁６４が反発力で挿入口６３を塞ぎ、潮解液の流出を防止するものである。
【００５５】
また容器本体６１と蓋体６５の螺合部はパッキン６７で漏液が防止されているので、万一倒れても螺合部から漏液する様なことはない。
【００５６】
また空気の流入口となっている蓋体６５の上面は、上面漏液防止手段６６で漏液が防止されているので漏液することはないが、上面漏液防止手段６６は通気・非透水性のシートで出来ているので、長く使用している中には、埃で目詰りを起こす心配が予想される。この様な場合には、粘着剤で貼付けられている上面漏液防止手段６６を剥がし、新しい上面漏液防止手段６６に交換すれば良く、繰返し使用できる反復使用容器ユニット６０の提供には何の妨げにもならない。
【００５７】
なお、前記各実施形態では、換気ユニットで容器ユニット内部の空気を吸引する説明を行っているが、吸気と排気を差し換えて空気の流れを全く逆にしても本発明の趣旨を逸脱するものではない。
【００５８】
更に、本発明は吸湿剤を用いた除湿器であるが、例えば脱臭剤を用いる脱臭器、芳香剤を用いる芳香器、殺虫剤を用いる虫取り器などに利用することも可能である。
【００５９】
【発明の効果】
以上説明した如く、本発明の除湿器によれば、自然換気タイプと強制換気タイプ夫々の長所を取入れたもので、除湿能力に優れると共に、安価で小型軽量化を実現できる。また、保守性の良く、汎用性の高いものである。
【図面の簡単な説明】
【図１】本発明の第１の実施形態に供される換気ユニットの内部を示す縦断面図である。
【図２】本実施形態に供される容器ユニットの内部を示す縦断面図である。
【図３】本実施形態の除湿器を示す側面図である。
【図４】本発明の第２の実施形態の除湿器を示す側面図である。
【図５】第３の実施形態に供される容器ユニットの内部を示す縦断面図である。
【図６】第４の実施形態の反復使用容器ユニットの内部を示す縦断面図である。
【符号の説明】
１…換気ユニット
３…可撓管
４…容器ユニット
６…モータ
７…電池
８…懸架具
９…ファン
１０…吸口
２０…通気管
２１…外側漏液防止手段
２２…内側漏液防止手段
４０…容器本体
４２…漏液防止手段
４３…中仕切り
４５…吸湿剤
６０…反復使用容器ユニット
６３…ホース挿入口
６４…逆止弁
６６…上面漏液防止手段
【図１】
2004181404.tif 000003
【図２】
2004181404.tif 000004
【図３】
2004181404.tif 000005
【図４】
2004181404.tif 000006
【図５】
2004181404.tif 000007
【図６】
2004181404.tif 000008